(57)【要約】  ベッドとして使用でき、且つ、簡単に形態を組み替えて使用することができる組み立て式ベッドを提供する。上部囲枠体（２０Ａ）および下部囲枠体（２０Ｂ）を有する囲枠（２０）を備え、上部囲枠体および下部囲枠体が囲枠の中間部で上下に分離可能に形成され、上部囲枠体および下部囲枠体を結合した時に、複数の手すり子（３０Ａ，３０Ｂ）が縦一直線に延び、囲枠の中間部に床板（１１）を備えた。
2017199377.tif 000002
【特許請求の範囲】
【請求項１】
上部囲枠体および下部囲枠体を有する囲枠を備え、  前記上部囲枠体および前記下部囲枠体が前記囲枠の中間部で上下に分離可能に形成され、  前記上部囲枠体および前記下部囲枠体がそれぞれ長手方向の両側面に側面枠部材を備え、  これら側面枠部材が上側手すり部材と下側手すり部材と各手すり部材間に縦に延びる複数の手すり子とを備え、前記上部囲枠体および前記下部囲枠体を結合した時に、複数の前記手すり子が縦一直線に延び、  前記囲枠の中間部に床板を備えた、  ことを特徴とする組み立て式ベッド。
【請求項２】
前記上部囲枠体および前記下部囲枠体がそれぞれ短手方向の両側面に妻枠部材を備え、前記上部囲枠体および前記下部囲枠体を分離して、前記妻枠部材を底にして立設させて、前記上部囲枠体および前記下部囲枠体の夫々を収納棚として使用可能に構成したことを特徴とする請求項１に記載の組み立て式ベッド。
【請求項３】
前記床板は、前記上部囲枠体の底部に固定され、背面には、フレーム材が露出して設けられていることを特徴とする請求項１または２に記載の組み立て式ベッド。
【請求項４】
前記上部囲枠体の前記下側手すり部材と、前記下部囲枠体の前記上側手すり部材とが密着し、一方の前記手すり部材にダボ穴が設けられ、他方の前記手すり部材に前記ダボ穴に嵌るダボが配置されていることを特徴とする請求項１乃至３のいずれかに記載の組み立て式ベッド。
【請求項５】
一方の前記側面枠部材と、一方の前記妻枠部材とは、重ねて折り畳んだ閉状態と、略Ｌ字形状を成すべく配置した開状態と、に変更可能に連結部材で連結されていることを特徴とする請求項２乃至４のいずれかに記載の組み立て式ベッド。
【発明の詳細な説明】
【技術分野】
【０００１】  本発明は、ユーザーが容易に組み替えを行うことが可能な組み立て式ベッドに関する。
【背景技術】
【０００２】  従来、使用期間の限られたベビーベッドを有効的に使用することができるように、幼児の成長に合わせて、ユーザーが容易にジュニアベッドや、ベビーサークルに組み替え可能な組み立て式ベッドが提案されている（例えば、特許文献１参照）。
【先行技術文献】
【特許文献】
【０００３】
【特許文献１】特開平１０−２５７９４３号公報
【発明の概要】
【発明が解決しようとする課題】
【０００４】  このような、ベビーベッドから他の形態に組み替え可能な組み立て式ベッドにおいて、ベビーベッドが不要になった際に、ジュニアベッドや、ベビーサークル以外の用途で有効的に使用したいというユーザーの要望があった。  本発明は、上述した事情を鑑みてなされたものであり、ベッドとして使用でき、且つ、簡単に形態を組み替えて使用することができる組み立て式ベッドを提供することを目的とする。
【課題を解決するための手段】
【０００５】  前記目的を達成するために、本発明は、上部囲枠体および下部囲枠体を有する囲枠を備え、前記上部囲枠体および前記下部囲枠体が前記囲枠の中間部で上下に分離可能に形成され、前記上部囲枠体および前記下部囲枠体がそれぞれ長手方向の両側面に側面枠部材を備え、これら側面枠部材が上側手すり部材と下側手すり部材と各手すり部材間に縦に延びる複数の手すり子とを備え、前記上部囲枠体および前記下部囲枠体を結合した時に、複数の前記手すり子が縦一直線に延び、前記囲枠の中間部に床板を備えた、ことを特徴とする。【０００６】  また、上記構成において、前記上部囲枠体および前記下部囲枠体がそれぞれ短手方向の両側面に妻枠部材を備え、前記上部囲枠体および前記下部囲枠体を分離して、前記妻枠部材を底にして立設させて、前記上部囲枠体および前記下部囲枠体の夫々を収納棚として使用可能に構成したことを特徴とする。【０００７】  また、上記構成において、前記床板は、前記上部囲枠体の底部に固定され、背面には、フレーム材が露出して設けられていることを特徴とする。【０００８】  また、上記構成において、前記上部囲枠体の前記下側手すり部材と、前記下部囲枠体の前記上側手すり部材とが密着し、一方の前記手すり部材にダボ穴が設けられ、他方の前記手すり部材に前記ダボ穴に嵌るダボが配置されていることを特徴とする。【０００９】  また、上記構成において、一方の前記側面枠部材と、一方の前記妻枠部材とは、重ねて折り畳んだ閉状態と、略Ｌ字形状を成すべく配置した開状態と、に変更可能に連結部材で連結されていることを特徴とする。
【発明の効果】
【００１０】  本発明によれば、囲枠の中間部に床板を備えたベッドの形態で用いることができる組み立て式ベッドを、囲枠を、上部囲枠体と、下部囲枠体とに上下に分離することで、簡単に別の形態に組み替えて使用することができる。
【図面の簡単な説明】
【００１１】
【図１】図１は本発明の実施形態に係る組み立て式ベッドのベビーベッドの形態を示す斜視図である。
【図２】図２はベビーベッド本体を上下に２分割した状態を示す斜視図である。
【図３】図３は組み立て式ベッドを組み替えた形態の一例である収納棚を示す斜視図である。
【図４】図４は床板の底面図である。
【図５】図５は図４のＩ−Ｉ断面図である。
【図６】図６は組み立て式ベッドの分解斜視図である。
【図７】図７は妻枠部材と、前枠または後枠とを折り畳んだ状態を示す斜視図である。
【発明を実施するための形態】
【００１２】  以下、図面を参照して本発明の実施形態について説明する。  図１は、本実施形態に係る組み立て式ベッド１のベビーベッド２の形態を示す斜視図である。組み立て式ベッド１は、子供の成長に合わせて、あるいは、必要に応じてベビーベッド２から、例えば収納棚３等の他の形態へと組み替え可能に構成されている。  図１に示すように、ベビーベッド２は、矩形の囲い状に形成された囲枠２０を有するベビーベッド本体１０を備える。ベビーベッド本体１０には、囲枠２０の内側に、設置面から所定の高さ位置に略水平に取り付けられる床板１１が設けられている。
【００１３】  ベビーベッド２は、床板１１の上に布団や、敷きマットを載置してベビーベッドとして使用することができるように、構成されている。つまり、ベビーベッド２は、ＪＩＳ規格やＩＳＯ規格などのベビーベッドに関する規格を満たす構造となっている。例えば、ベビーベッド２は、床板１１の上端面１１Ａから、囲枠２０の上端までの高さが６００ｍｍ以上に構成されていると共に、床面から床板１１の上端面１１Ａまでの高さは５００ｍｍ以下に構成されている。
【００１４】  囲枠２０は、短手方向の両側面を構成する一対の妻枠部材２１，２２と、長手方向の両側面を構成する一対の側面枠部材２３，２４と、を平面視矩形枠状に連結させて構成されている。また、妻枠部材２１，２２は、上部妻枠部材２１Ａ，２２Ａと、下部妻枠部材２１Ｂ，２２Ｂとに分割され、側面枠部材２３，２４は、上部側面枠部材２３Ａ，２４Ａと、下部側面枠部材２３Ｂ，２４Ｂとに分割可能に構成されている。上部妻枠部材２１Ａ，２２Ａと、上部側面枠部材２３Ａ，２４Ａとは、夫々同じ高さを有し、下部妻枠部材２１Ｂ，２２Ｂと、下部側面枠部材２３Ｂ，２４Ｂとは、夫々同じ高さを有している。
【００１５】  各妻枠部材２１Ａ，２２Ａ，２１Ｂ，２２Ｂ、及び、各側面枠部材２３Ａ，２４Ａ，２３Ｂ，２４Ｂは、夫々、縦に延びる一対の支柱部材３１と、横に延びる上下の桟部材である上桟２５Ａ，２５Ｂ，２７Ａ，２７Ｂ（上側手すり部材）、下桟２６Ａ，２６Ｂ，２８Ａ，２８Ｂ（下側手すり部材）とによって４辺が構成される枠状に形成されている。
【００１６】  囲枠２０は、上部妻枠部材２１Ａ，２２Ａ、及び上部側面枠部材２３Ａ，２４Ａを平面視矩形枠状に連結した上部囲枠体２０Ａと、下部妻枠部材２１Ｂ，２２Ｂ、及び下部側面枠部材２３Ｂ，２４Ｂを平面視矩形枠状に連結した上部囲枠体２０Ａと、に上下に分割可能に構成されている。  床板１１は、上部囲枠体２０Ａに固定されている。詳述すると、床板１１は、上部妻枠部材２１Ａ，２２Ａの下桟２６Ａと、上部側面枠部材２３Ａ，２４Ａの下桟２８Ａとに固定される。また、床板１１は、上端面１１Ａが、下桟２６Ａ，２８Ａの上端に面一となるように設置される。つまり、床板１１は、上部囲枠体２０Ａと、上部囲枠体２０Ａと、の分割部分５（中間部）に備えられており、囲枠２０を分割した際には、上部囲枠体２０Ａに固定された状態となるように構成されている。
【００１７】  また、下部囲枠体２０Ｂの、下桟２６Ｂと、下桟２８Ｂとによって形成される枠状の底部２０Ｃには、下部囲枠体２０Ｂの剛性を向上する補強材３３が設けられている。補強材３３は、下桟２６Ｂに沿って、下部囲枠体２０Ｂの内側に設けられる補強材３３Ａと、下桟２８Ｂに沿って、下部囲枠体２０Ｂの内側に設けられる補強材３３Ｂと、から構成される。これにより、補強材３３は、下部囲枠体２０Ｂの底部２０Ｃに枠状に設けられる。
【００１８】  上述したように、床板１１の上端面１１Ａから、囲枠２０の上端までの高さは、床面から床板１１の上端面１１Ａまでの高さよりも高く設定されるため、上部囲枠体２０Ａの高さＨ１は、下部囲枠体２０Ｂの高さＨ２よりも高く設定される。また、下部囲枠体２０Ｂの高さＨ２は、下部囲枠体２０Ｂの底部２０Ｃにキャスター３２を取り付けた際に、床板１１の上端面１１Ａが床面から５００ｍｍより高い位置に配置されない適宜の高さに構成されている。なお、キャスター３２は、底部２０Ｃの下面の４隅部分に、それぞれ設けられ、ベビーベッド２を容易に移動可能としている。
【００１９】  上部妻枠部材２１Ａ，２２Ａには、上桟２５Ａと、下桟２６Ａとの間を繋ぎ、上下に延びる手すり子２９Ａが所定間隔で並べて設けられている。また、上部側面枠部材２３Ａ，２４Ａには、上桟２７Ａと、下桟２８Ａとの間を繋ぎ、上下に延びる手すり子３０Ａが所定間隔で並べて設けられている。
【００２０】  下部妻枠部材２１Ｂ，２２Ｂには、上桟２５Ｂと、下桟２６Ｂとの間を繋ぎ、上下に延びる手すり子２９Ｂが所定間隔で並べて設けられている。また、下部側面枠部材２３Ｂ，２４Ｂには、上桟２７Ｂと、下桟２８Ｂとの間を繋ぎ、上下に延びる手すり子３０Ｂが所定間隔で並べて設けられている。  手すり子２９Ａ，２９Ｂ，３０Ａ，３０Ｂは、隣り合う手すり子間、又は、手すり子２９Ａ，２９Ｂ，３０Ａ，３０Ｂと囲枠２０の四隅の支柱部材３１との間の間隔が８５ｍｍ以下になるように設けられている。
【００２１】  また、上部囲枠体２０Ａの手すり子２９Ａ，３０Ａと、下部囲枠体２０Ｂの手すり子２９Ｂ，３０Ｂとは，上部囲枠体２０Ａおよび下部囲枠体２０Ｂを結合した際に、夫々縦一色線に並ぶように構成されている。  囲枠２０においては、上部囲枠体２０Ａの下桟２８Ａと、下部囲枠体２０Ｂの上桟２７Ｂとが密着して連結されるように構成されている。また、下桟２８Ａ、及び、上桟２７Ｂとには互いに対応する位置に予めダボ穴が形成されている。そして、上部囲枠体２０Ａと下部囲枠体２０Ｂとの何れか一方のダボ穴に嵌め込んだダボを、他方のダボ穴に嵌め込むことで、上部囲枠体２０Ａと下部囲枠体２０Ｂとを位置決めして結合することができるように構成されている。
【００２２】  図２は、囲枠２０を、上部囲枠体２０Ａと、下部囲枠体２０Ｂと、に上下に分割した状態を示す図である。  図２に示すように、囲枠２０を、上部囲枠体２０Ａと、下部囲枠体２０Ｂと、に上下に分割し、各囲枠体２０Ａ，２０Ｂを、妻枠部材２２Ａ，２２Ｂ又は妻枠部材２１Ａ，２１Ｂの何れか一方を底にして立てて用いることができる。このように、上部囲枠体２０Ａと、下部囲枠体２０Ｂとを、側面枠部材２３Ａ，２４Ａ，２３Ｂ，２４Ｂの長手方向が縦に延びる姿勢で立てた際には、各囲枠体２０Ａ，２０Ｂを収納ケース４０Ａ，４０Ｂとして用いることができる。なお、妻枠部材２１Ａ，２２Ａ及び妻枠部材２１Ｂ，２２Ｂは、対称に形成されているため、どちらを底にして用いても良いように構成されている。
【００２３】  囲枠体２０Ａ，２０Ｂを収納ケース４０Ａ，４０Ｂとして用いる際には、収納ケース４０Ａ，４０Ｂの上部、及び、下部に物を載せて使用することも想定される。よって、妻枠部材２１Ａ，２１Ｂ、及び、妻枠部材２２Ａ，２２Ｂには、板材３４Ａ，３４Ｂ、及び、板材３５Ａ,３５Ｂを夫々載置して用いる構成であっても良い。このように、組み立て式ベッド１は、ベビーベッド２を上下に分割することで、簡単に収納ケース４０Ａ，４０Ｂに変形可能に構成されている。  なお、妻枠部材２１Ａ，２１Ｂ、及び、妻枠部材２２Ａ，２２Ｂには、上桟２５Ａ，２５Ｂと下桟２６Ａ，２６Ｂとの間に手すり子２９Ａ，２９Ｂを設ける構成に限らず、予め、板材３４Ａ，３４Ｂ、及び、板材３５Ａ,３５Ｂを取り付ける構成であっても良い。
【００２４】  図３は、組み立て式ベッド１をベビーベッド２とは別の形態に組み替えた一例を示す図であり、本実施形態では、収納棚３に組み替えた状態を示している。  上述したように、側面枠部材２３，２４は対称に作られているため、対向する手すり子３０Ａ，３０Ａ、及び、手すり子３０Ｂ，３０Ｂは互いに水平位置に設けられている。これにより、対向する手すり子３０Ａ，３０Ａ、又は手すり子３０Ｂ，３０Ｂ間に棚板１０１，１０２を架け渡したり、不図示のハンガーパイプを架け渡したり、引き出し１０４を設置することで、任意の形態の収納棚やハンガーラック等に容易に変形させることができる。
【００２５】  また、上述したように、隣り合う手すり子３０Ａ間の間隔と、隣り合う手すり子３０Ｂ間の間隔とは、同じ間隔に揃えられているため、互いの間に隙間を設けて設置した収納ケース４０Ａ，４０Ｂ間を棚板１０３で繋いで収納ケース４０Ａ，４０Ｂ間に棚を設ける形態とすることもできる。なお、棚板１０１，１０２，１０３や、引き出し１０４などの部品は、オプション部品であり、ユーザーが望む形態に合わせて選択可能な構成とすることができる。
【００２６】  図４は、床板１１を背面１１Ｂ側から示した図である。図５は、図４のＩ−Ｉ断面図である。なお、床板１１の背面１１Ｂとは、組み立て式ベッド１をベビーベッド２として使用した際に、布団や敷きマットが載置される床板１１の上端面１１Ａを成す正面とは反対の面である。  床板１１は、組み立て式ベッド１を収納ケース４０Ａ，４０Ｂとして用いる際には、収納ケース４０Ａの背板として機能する部材である。収納ケース４０Ａのような収納棚は、居室の壁面に背面１１Ｂを対向させて設置して用いるのが一般的であり、転倒防止のために壁面に例えばボルトなどの固定具で固定して用いられる場合がある。
【００２７】  図４、図５に示すように、床板１１は、ベビーベッド２の内寸に対応する大きさの平面視矩形形状の板材１１１と、板材１１１の背面にむき出しで固定されるフレーム材１１２と、から構成される。フレーム材１１２は、断面矩形形状の所謂角材を好適に用いることができ、床板１１の補強材として機能し、板材１１１の４辺に沿って設けられると共に、板材１１１の、少なくとも中央部分に長手方向、又は／及び、短手方向に亘って設けられている。  このように、床板１１の背面１１Ｂには、フレーム材１１２がむき出しの状態で取り付けられているため、床板１１を壁面に固定する際には、当該フレーム材１２にボルトや釘を打ち込んで、壁面に固定することができる。これによって、収納ケース４０Ａを壁面に対して安定して固定することができる。  なお、上述したように、収納ケース４０Ｂの背面側には、補強材３３Ａ，３３Ｂが設けられているため、この補強材３３Ａ，３３Ｂを壁面に固定することで、収納ケース４０Ｂを壁面に対して安定して固定することができる。
【００２８】  ところで、組み立て式ベッド１は、いくつかの部品に分解されて梱包され、ユーザーが開封後に組み立てる形態（所謂フラットパック）の家具である。  図６は、組み立て前の囲枠２０を示す図であり、図７は、妻枠部材２１，２２の何れか一方と、側面枠部材２３，２４の何れか一方との連結状態を示す図である。  組み立て式ベッド１は、図６に示すように、妻枠部材２１，２２の何れか一方と、側面枠部材２３，２４の何れか一方とが略Ｌ字形状に連結され、妻枠部材２１，２２の何れか他方と、側面枠部材２３，２４の何れか他方とが略Ｌ字形状に連結された状態で分解可能に構成されている。
【００２９】  図６は、妻枠部材２１と側面枠部材２４とが連結され、妻枠部材２２と側面枠部材２３とが連結されている状態を例示する図である。妻枠部材２１と側面枠部材２４との連結部５１は、図６に示した妻枠部材２１と側面枠部材２４とを略Ｌ字状に開いた状態と、図７に示した、妻枠部材２１と側面枠部材２４と重ねて折り畳んだ閉状態とに、開閉可能に連結されている。また、妻枠部材２２と側面枠部材２３との連結部５２も、連結部５２と同様に妻枠部材２２と側面枠部材２３とを開閉可能に連結されている。  連結部５１，５２には、蝶番が取り付けられ、この蝶番を用いて妻枠部材２１と側面枠部材２４とが、妻枠部材２２と側面枠部材２３とが、それぞれ連結されている。
【００３０】  ユーザーが組み立て式ベッド１の梱包を開放した後には、予め連結され折り畳まれた状態の妻枠部材２１と側面枠部材２４と、及び、妻枠部材２２と側面枠部材２３と、を夫々略Ｌ字状に開く。このように、妻枠部材２１と側面枠部材２４と、妻枠部材２２と側面枠部材２３とは、連結された状態で略Ｌ字状に開くことで、床面に自立するため、妻枠部材２１、側面枠部材２４、妻枠部材２２、側面枠部材２３との連結作業を容易に行うことができ、囲枠２０を簡単に組み立てることができる。
【００３１】  妻枠部材２１と側面枠部材２４と、及び、妻枠部材２２と側面枠部材２３と、の連結部５１，５２とは別の端部には、妻枠部材２１および側面枠部材２３の位置決めと、妻枠部材２２および側面枠部材２４の位置決めとを行うボス穴５５が形成され、これらのボス穴間にはボス５６が嵌め込まれる。このように、夫々略Ｌ字状に連結された、妻枠部材２１および側面枠部材２４と、妻枠部材２２および側面枠部材２３とをボス５６を用いて容易に位置決めして連結させることができる。
【００３２】  以上説明したように、本発明を適用した実施形態によれば、上部囲枠体２０Ａおよび下部囲枠体２０Ｂを有する囲枠２０を備え、上部囲枠体２０Ａおよび下部囲枠体２０Ｂが囲枠２０の中間部で上下に分離可能に形成され、上部囲枠体２０Ａおよび下部囲枠体２０Ｂがそれぞれ長手方向の両側面に側面枠部材２３Ａ，２４Ａ，２３Ｂ，２４Ｂを備え、これら側面枠部材２３Ａ，２４Ａ，２３Ｂ，２４Ｂが上側手すり部材である上桟２７Ａ，２７Ｂと、下側手すり部材である下桟２８Ａ，２８Ｂと、各手すり部材間２７Ａ，２８Ａ、及び、手すり部材間２７Ｂ，２８Ｂに縦に延びる複数の手すり子３０Ａ，３０Ｂと、を備え、上部囲枠体２０Ａおよび下部囲枠体２０Ｂを結合した時に、複数の手すり子３０Ａ，３０Ｂが縦一直線に延び、囲枠２０の中間部に床板１１を備えた、ことを特徴とする。
【００３３】  この構成によれば、囲枠２０を、上部囲枠体２０Ａと、下部囲枠体２０Ｂとに分離し、各囲枠体２０Ａ，２０Ｂを、例えば対向する側面の手すり子３０Ａ，３０Ｂに棚板を架け渡すことで、組み立て式ベッド１を容易に収納棚の形態にかえることができる。このうに、組み立て式ベッド１は、ベビーベッド２の形態から、囲枠２０を上下に分離するという簡単な構成で、収納棚に変形させることができ、ベビーベッドが必要で無くなった際にも、収納棚として長く使うことができる。
【００３４】  また、上記構成において、上部囲枠体２０Ａおよび下部囲枠体２０Ｂがそれぞれ短手方向の両側面に妻枠部材２１Ａ，２１Ｂ，２２Ａ，２２Ｂを備え、上部囲枠体２０Ａおよび下部囲枠体２０Ｂを分離して、夫々一方の妻枠部材を底にして立設させて、上部囲枠体２０Ａおよび下部囲枠体２０Ｂの夫々を収納棚として使用可能に構成したことを特徴とする。  この構成によれば、上部囲枠体２０Ａおよび下部囲枠体２０Ｂを夫々長手方向を縦方向にして立設させて、対向する側面の手すり子３０Ａ，３０Ｂに棚板やハンガーパイプを架け渡したりすることで、組み立て式ベッド１を容易に任意の形状の収納棚３の形態にかえることができる。よって、ベビーベッドが必要で無くなった際にも、組み立て式ベッド１は、簡単に、任意の形状の収納棚に組み替えて、長く使うことができる。
【００３５】  また、上記構成において、床板１１は、上部囲枠体２０Ａの底部に固定され、背面１１Ｂには、フレーム材１１２が露出して設けられていることを特徴とする。この構成によれば、上部囲枠体２０Ａを収納ケース４０Ａとして用いる際に、床板１１の背面１１Ｂにはフレーム材１１２がむき出しの状態で取り付けられているため、当該フレーム材１２にボルトや釘を打ち込んで、壁面に安定して固定することができる。
【００３６】  また、上記構成において、上部囲枠体２０Ａの下側手すり部材２８Ａと、下部囲枠体２０Ｂの上側手すり部材２７Ｂとが密着し、一方の手すり部材にダボ穴が設けられ、他方の手すり部材にダボ穴に嵌るダボが配置されていることを特徴とする。  この構成によれば、ダボ穴に嵌るダボを用いて上部囲枠体２０Ａと、下部囲枠体２０Ｂとを容易に位置決めして連結させることができ、例えば収納棚３の形態にした組み立て式ベッド１を、簡単にベビーベッド２の形態に組み替えて使用することができる。
【００３７】  また、上記構成において、一方の側面枠部材２３、２４と、一方の妻枠部材２１，２２とは、重ねて折り畳んだ閉状態と、略Ｌ字形状を成すべく配置した開状態と、に変更可能に連結部材で連結されていることを特徴とする。
【符号の説明】
【００３８】  １  組み立て式ベッド  ２  ベビーベッド  ３  収納棚  ５  分割部分（中間部）  １０  ベビーベッド本体  １１  床板  １１Ａ  上端面  １１Ｂ  背面  １２  フレーム材  ２０  囲枠  ２０Ａ  上部囲枠体  ２０Ｂ  下部囲枠体  ２１、２２  妻枠部材  ２３、２４  側面枠部材  ２５Ａ、２５Ｂ、２７Ａ、２７Ｂ  上桟（上側手すり部材）  ２６Ａ、２６Ｂ、２８Ａ、２８Ｂ  下桟（下側手すり部材）  ２９Ａ、２９Ｂ、３０Ａ、３０Ｂ  手すり子 
【図１】
2017199377.tif 000003
【図２】
2017199377.tif 000004
【図３】
2017199377.tif 000005
【図４】
2017199377.tif 000006
【図５】
2017199377.tif 000007
【図６】
2017199377.tif 000008
【図７】
2017199377.tif 000009
【手続補正書】
【提出日】平成28年8月3日(2016.8.3)
【手続補正１】
【補正対象書類名】特許請求の範囲
【補正対象項目名】全文
【補正方法】変更
【補正の内容】
【特許請求の範囲】
【請求項１】
上部囲枠体および下部囲枠体を有する囲枠を備え、
前記上部囲枠体および前記下部囲枠体が前記囲枠の中間部で上下に分離可能に形成され、
前記上部囲枠体および前記下部囲枠体がそれぞれ長手方向の両側面に上部側面枠部材および下部側面枠部材を備え、それぞれ短手方向の両端面に上部妻枠部材および下部妻枠部材を備え、
これら側面枠部材が上側手すり部材と下側手すり部材と各手すり部材間に縦に延びる複数の手すり子とを備え、前記上部囲枠体および前記下部囲枠体を結合した時に、複数の前記手すり子が縦一直線に延び、
組み立て前の囲枠は、妻枠部材の何れか一方と、側面枠部材の何れか一方とが、蝶番により略Ｌ字形状に連結され、妻枠部材の何れか他方と、側面枠部材の何れか他方とが、蝶番により略Ｌ字形状に連結された状態で分解可能に構成されると共に、前記囲枠の中間部で前記上部囲枠体および前記下部囲枠体を上下に分離する場合には、上部側面枠部材と上部妻枠部材とが連結され、下部側面枠部材と下部妻枠部材とが連結された状態で、各囲枠体を上下に分離可能に構成され、
前記囲枠の中間部に床板を備えた、
ことを特徴とする組み立て式ベッド。
【請求項２】
前記上部囲枠体および前記下部囲枠体がそれぞれ短手方向の両側面に妻枠部材を備え、前記上部囲枠体および前記下部囲枠体を分離して、前記妻枠部材を底にして立設させて、前記上部囲枠体および前記下部囲枠体の夫々を収納棚として使用可能に構成したことを特徴とする請求項１に記載の組み立て式ベッド。
【請求項３】
前記床板は、前記上部囲枠体の底部に固定され、背面には、フレーム材が露出して設けられていることを特徴とする請求項１または２に記載の組み立て式ベッド。
【請求項４】
前記上部囲枠体の前記下側手すり部材と、前記下部囲枠体の前記上側手すり部材とが密着し、一方の前記手すり部材にダボ穴が設けられ、他方の前記手すり部材に前記ダボ穴に嵌るダボが配置されていることを特徴とする請求項１乃至３のいずれかに記載の組み立て式ベッド。
【手続補正２】
【補正対象書類名】明細書
【補正対象項目名】０００５
【補正方法】変更
【補正の内容】
【０００５】
前記目的を達成するために、本発明は、上部囲枠体および下部囲枠体を有する囲枠を備え、前記上部囲枠体および前記下部囲枠体が前記囲枠の中間部で上下に分離可能に形成され、前記上部囲枠体および前記下部囲枠体がそれぞれ長手方向の両側面に上部側面枠部材および下部側面枠部材を備え、それぞれ短手方向の両端面に上部妻枠部材および下部妻枠部材を備え、これら側面枠部材が上側手すり部材と下側手すり部材と各手すり部材間に縦に延びる複数の手すり子とを備え、前記上部囲枠体および前記下部囲枠体を結合した時に、複数の前記手すり子が縦一直線に延び、組み立て前の囲枠は、妻枠部材の何れか一方と、側面枠部材の何れか一方とが、蝶番により略Ｌ字形状に連結され、妻枠部材の何れか他方と、側面枠部材の何れか他方とが、蝶番により略Ｌ字形状に連結された状態で分解可能に構成されると共に、前記囲枠の中間部で前記上部囲枠体および前記下部囲枠体を上下に分離する場合には、上部側面枠部材と上部妻枠部材とが連結され、下部側面枠部材と下部妻枠部材とが連結された状態で、各囲枠体を上下に分離可能に構成され、前記囲枠の中間部に床板を備えた、ことを特徴とする。
【手続補正３】
【補正対象書類名】明細書
【補正対象項目名】０００９
【補正方法】削除
【補正の内容】
【手続補正書】
【提出日】平成29年2月1日(2017.2.1)
【手続補正１】
【補正対象書類名】特許請求の範囲
【補正対象項目名】全文
【補正方法】変更
【補正の内容】
【特許請求の範囲】
【請求項１】
上部囲枠体および下部囲枠体を有する囲枠を備え、
前記上部囲枠体および前記下部囲枠体が前記囲枠の中間部で上下に分離可能に形成され、
前記上部囲枠体および前記下部囲枠体がそれぞれ長手方向の両側面に上部側面枠部材および下部側面枠部材を備え、それぞれ短手方向の両端面に上部妻枠部材および下部妻枠部材を備え、
これら側面枠部材が上側手すり部材と下側手すり部材と各手すり部材間に縦に延びる複数の手すり子とを備え、前記上部囲枠体および前記下部囲枠体を結合した時に、複数の前記手すり子が縦一直線に延び、
組み立て前の囲枠は、上部側面枠部材と下部側面枠部材とが連結され、上部妻枠部材と下部妻枠部材とが連結された状態において、妻枠部材の何れか一方と、側面枠部材の何れか一方とが、蝶番により略Ｌ字形状に連結されると共に、妻枠部材の何れか他方と、側面枠部材の何れか他方とが、蝶番により略Ｌ字形状に連結された状態で分解可能に構成されると共に、前記囲枠の中間部で前記上部囲枠体および前記下部囲枠体を上下に分離する場合には、上部側面枠部材と上部妻枠部材とが連結され、下部側面枠部材と下部妻枠部材とが連結された状態で、各囲枠体を上下に分離可能に構成され、
前記囲枠の中間部に床板を備えた、
ことを特徴とする組み立て式ベッド。
【請求項２】
前記上部囲枠体および前記下部囲枠体がそれぞれ短手方向の両側面に妻枠部材を備え、
前記上部囲枠体および前記下部囲枠体を分離して、前記妻枠部材を底にして立設させて、
前記上部囲枠体および前記下部囲枠体の夫々を収納棚として使用可能に構成したことを特徴とする請求項１に記載の組み立て式ベッド。
【請求項３】
前記床板は、前記上部囲枠体の底部に固定され、背面には、フレーム材が露出して設けられていることを特徴とする請求項１または２に記載の組み立て式ベッド。
【請求項４】
前記上部囲枠体の前記下側手すり部材と、前記下部囲枠体の前記上側手すり部材とが密着し、一方の前記手すり部材にダボ穴が設けられ、他方の前記手すり部材に前記ダボ穴に嵌るダボが配置されていることを特徴とする請求項１乃至３のいずれかに記載の組み立て式ベッド。
【手続補正２】
【補正対象書類名】明細書
【補正対象項目名】０００５
【補正方法】変更
【補正の内容】
【０００５】
前記目的を達成するために、本発明は、上部囲枠体および下部囲枠体を有する囲枠を備え、前記上部囲枠体および前記下部囲枠体が前記囲枠の中間部で上下に分離可能に形成され、前記上部囲枠体および前記下部囲枠体がそれぞれ長手方向の両側面に上部側面枠部材および下部側面枠部材を備え、それぞれ短手方向の両端面に上部妻枠部材および下部妻枠部材を備え、これら側面枠部材が上側手すり部材と下側手すり部材と各手すり部材間に縦に延びる複数の手すり子とを備え、前記上部囲枠体および前記下部囲枠体を結合した時に、複数の前記手すり子が縦一直線に延び、組み立て前の囲枠は、上部側面枠部材と下部側面枠部材とが連結され、上部妻枠部材と下部妻枠部材とが連結された状態において、妻枠部材の何れか一方と、側面枠部材の何れか一方とが、蝶番により略Ｌ字形状に連結されると共に、妻枠部材の何れか他方と、側面枠部材の何れか他方とが、蝶番により略Ｌ字形状に連結された状態で分解可能に構成されると共に、前記囲枠の中間部で前記上部囲枠体および前記下部囲枠体を上下に分離する場合には、上部側面枠部材と上部妻枠部材とが連結され、下部側面枠部材と下部妻枠部材とが連結された状態で、各囲枠体を上下に分離可能に構成され、前記囲枠の中間部に床板を備えた、ことを特徴とする。
【国際調査報告】
2017199377.tif 000010
2017199377.tif 000011
2017199377.tif 000012
2017199377.tif 000013